(57)【要約】【課題】本発明は光媒体に対して高速駆動が可能な光駆動機において高密度の光媒体に適した書込みパルスタイプを提供するために微細調整用パルスを使用するレーザーダイオードパワー制御装置を提供する。【解決手段】パルス生成部、制御部、及び伝送部を含むレーザーダイオードパワー制御装置。パルス生成部は各チャンネルに対する書込みパルスを生成する。制御部は光媒体タイプと光媒体に対する光駆動機の駆動速度とによって各チャンネルに対する書込みパルスへの微細調整パルスの適用如何を決定してパルス生成部を制御する。伝送部はパルス生成部から出力される書込みパルスによって各チャンネル別パワーレベルを伝送する。これにより、高倍速及び高密度光媒体に対してさらに最適化された書込みパルスが生成できて光駆動機が提供できる。【選択図】図１
2005078793.tif 000002
【特許請求の範囲】
【請求項１】
光駆動機のレーザーダイオードパワー制御装置において、
複数のチャンネルそれぞれの書込みパルスを生成するパルス生成部と、
光媒体タイプと前記光媒体に対する前記光駆動機の駆動速度とによって前記各チャンネル別の書込みパルスへの微細調整パルスの適用如何を決定して前記パルス生成部を制御する制御部と、
前記生成された書込みパルスによって各チャンネル別のパワーレベルを伝送する伝送部と、を含むことを特徴とする光駆動機のレーザーダイオードパワー制御装置。
【請求項２】
前記光媒体タイプが高密度光媒体であり、前記光媒体の前記駆動速度が高速であれば、前記制御部は複数のチャンネルのうち少なくとも１つのチャンネルに前記微細調整パルスを適用させることを特徴とする請求項１に記載の光駆動機のレーザーダイオードパワー制御装置。
【請求項３】
前記制御部は前記複数のチャンネルのうち少なくとも１つのチャンネルから該当するチャンネルの書込みパルス区間に前記微細調整パルスを適用することを特徴とする請求項２に記載の光駆動機のレーザーダイオードパワー制御装置。
【請求項４】
前記該当するチャンネルの書込みパルス区間を含まない前記書込みパルスの他の区間はオーバードライバ区間であることを特徴とする請求項３に記載の光駆動機のレーザーダイオードパワー制御装置。
【請求項５】
前記制御部は該当するチャンネルの書込みパルスの全区間に前記微細調整パルスを適用することを特徴とする請求項２に記載の光駆動機のレーザーダイオードパワー制御装置。
【請求項６】
前記制御部は該当チャンネルの基準レベルを前記微細調整パルスの第１レベル、第２レベル、第３レベルのうち１つに設定することを特徴とする請求項２に記載の光駆動機のレーザーダイオードパワー制御装置。
【請求項７】
前記制御部は微細調整パルスの周期と微細調整パルスをオンスタートパルスとして使用するか、オフスタートパルスとして使用するかによって前記微細調整パルスのタイプを設定することを特徴とする請求項２に記載の光駆動機のレーザーダイオードパワー制御装置。
【請求項８】
前記パルス生成部は、
前記制御部から出力されるパルス発生条件情報によって前記複数のチャンネルそれぞれの書込みパルスを生成するための条件情報を設定する書込みパルス設定器と、
前記複数のチャンネルそれぞれに独立的に含まれて前記書込みパルス設定器から提供される前記条件情報によって該当するチャンネルの書込みパルスを生成する複数のパルス生成器と、
前記書込みパルス設定器から提供される前記条件情報によって微細調整パルスを生成する微細調整パルス生成器と、
前記複数のチャンネルそれぞれに具備されて前記制御部から出力されるパルス発生条件情報によって該当チャンネルの書込みパルスと微細調整パルスとを選択的に伝送する複数の伝送器と、を含むことを特徴とする請求項１に記載の光駆動機のレーザーダイオードパワー制御装置。
【請求項９】
前記パルス生成部は、
前記制御部から出力されるパルス発生条件情報によって前記複数のチャンネルそれぞれに対する書込みパルスを生成するための条件情報を設定する書込みパルス設定器と、
前記複数のチャンネルそれぞれに具備され、前記書込みパルス設定器から提供される条件情報によって該当するチャンネルの書込みパルスを生成する複数のパルス生成器と、
前記書込みパルス設定器から提供される条件情報によって微細調整パルスを生成する微細調整パルス生成器と、
前記複数のチャンネルそれぞれに具備されて前記該当チャンネルの書込みパルスと微細調整パルスとを組合わせ、前記組合わせられた結果を伝送する複数のゲートと、
前記複数のチャンネルそれぞれに具備されて前記制御部から出力されるパルス発生条件情報によって該当チャンネルのパルス生成器から出力される書込みパルスと該当チャンネルのゲートから出力される信号とを選択的に伝送する複数の伝送器と、を含むことを特徴とする請求項１に記載の光駆動機のレーザーダイオードパワー制御装置。
【請求項１０】
前記該当するチャンネルの前記ゲートから出力される書込みパルスは該当チャンネルの書込みパルスの他の区間を含まない前記該当するチャンネルの書込みパルス区間に前記微細調整パルスが適用されるように構成されることを特徴とする請求項９に記載の光駆動機のレーザーダイオードパワー制御装置。
【請求項１１】
前記第１レベルはセンターレベルであり、前記第２レベルはボトムレベルであり、前記第３レベルは前記微細調整パルスのトップレベルであることを特徴とする請求項６に記載の光駆動機のレーザーダイオードパワー制御装置。
【請求項１２】
前記複数のチャンネルは少なくとも１つのファーストチャンネル、ピークチャンネル、ラストチャンネル、イレーズチャンネル、クーリングチャンネル、及びボトムチャンネルを含むことを特徴とする請求項１に記載の光駆動機のレーザーダイオードパワー制御装置。
【請求項１３】
前記複数のパルス生成器は少なくとも１つのファーストパルス生成器、ピークパルス生成器、ラストパルス生成器、イレーズパルス生成器、クーリングパルス生成器、及びボトムパルス生成器を含むことを特徴とする請求項８または請求項９に記載の光駆動機のレーザーダイオードパワー制御装置。
【請求項１４】
前記制御部は媒体のタイプと光駆動機の駆動速度とによる基準パワーに関連した複数のチャンネルそれぞれに対する現在パワーレベルが設定できるように制御することを特徴とする請求項１に記載の光駆動機のレーザーダイオードパワー制御装置。
【請求項１５】
前記装置はチャンネルの現在パワーレベルと基準パワーレベル間の差を検出し、パワーレベルを制御し、前記検出された差と前記制御部によるパワーレベル制御とによって前記チャンネルの制御されたレベルを出力するレベル制御部をさらに含むことを特徴とする請求項１に記載の光駆動機のレーザーダイオードパワー制御装置。
【請求項１６】
前記制御部は各チャンネルに対する前記パワーレベル制御を前記レベル制御部に提供して前記パワーレベル制御を前記基準パワー及び前記現在パワー間の差によって設定させることを特徴とする請求項１５に記載の光駆動機のレーザーダイオードパワー制御装置。
【請求項１７】
前記装置は、
前記複数のチャンネルに対応する複数のレジスタを有するレジスタユニットをさらに含み、
前記制御部は各チャンネルに対する基準パワーが提供されるように制御し、
前記制御部は前記媒体のタイプと前記光駆動機の駆動速度とによって前記レジスタユニットに使われる各チャンネルに対する基準パワーを提供することを特徴とする請求項１に記載の光駆動機のレーザーダイオードパワー制御装置。
【請求項１８】
前記パルス生成部は前記書込みパルス設定器から提供される前記書込みパルス生成条件情報に基づいて前記微細調整パルスを選択的に生成するためのパルス生成器を含むことを特徴とする請求項８または請求項９に記載の光駆動機のレーザーダイオードパワー制御装置。
【請求項１９】
駆動機のレーザーダイオードパワー制御装置において、
制御信号を受信し、媒体のタイプと前記駆動機の駆動速度とを決定し、前記媒体のタイプと前記駆動機の前記駆動速度とによる基準パワーに関連した複数チャンネルそれぞれに対する現在パワーレベルを設定し、入力信号の指定区間を制御する制御部と、
前記複数チャンネルに対応する複数のレジスタを有し、前記レジスタそれぞれは前記複数チャンネルのうち該当チャンネルに対する現在パワーと基準パワーとを含むレジスタユニットと、
各チャンネルに対する前記現在パワーレベルと前記基準レベル間の差を検出し、前記パワーレベルを制御し、前記検出された差と前記制御部によるパワーレベル制御による前記制御されたレベルを出力するレベル制御部と、
複数チャンネルそれぞれに対する書込みパルスを生成するパルス生成ユニットと、
前記複数チャンネル別にそれぞれ生成された書込みパルスによって各複数チャンネルに対するパワーレベルを伝送する伝送ユニットと、を含み、
前記制御部は前記媒体タイプと前記駆動機の駆動速度とによって各複数チャンネルに対する前記書込みパルスへの微細調整パルスの適用如何を決定して前記パルス生成ユニットを制御することを特徴とする駆動機でレーザーダイオードパワー制御装置。
【請求項２０】
光駆動機におけるレーザーダイオードのパワー制御方法において、
前記レーザーダイオードのパワーを制御するために使われる複数のチャンネルそれぞれに対する書込みパルスを生成する段階と、
光媒体のタイプと前記光駆動機の駆動速度とによって前記複数チャンネルそれぞれに対する前記書込みパルスへの微細調整パルスの適用如何を決定して前記書込みパルス生成を制御する段階と、
前記生成された書込みパルスによって前記複数チャンネルそれぞれに対するパワーレベルを伝送する段階と、を含むことを特徴とするレーザーダイオードのパワー制御方法。
【発明の詳細な説明】
【技術分野】
【０００１】
本発明は光駆動機におけるレーザーダイオードパワー制御装置及び方法に係り、特に、高速で光媒体を駆動できる光駆動機で高密度光媒体に対する書込みパルスを最適化するレーザーダイオードパワー制御装置及び方法に関する。
【背景技術】
【０００２】
光媒体は代表的にＣＤ（Ｃｏｍｐａｃｔ Ｄｉｓｃ）用と、ＤＶＤ（Ｄｉｇｉｔａｌ Ｖｅｒｓａｔｉｌｅ Ｄｉｓｃ）用とに分類される。ＣＤ−Ｒ、ＣＤ−ＲＷはＣＤタイプであり、ＤＶＤ−ＲＷ、ＤＶＤ−Ｒ、ＤＶＤ＋ＲＷ、ＤＶＤ＋Ｒ、及びＤＶＤ−ＲＡＭはＤＶＤタイプである。また、ブルーレイＤＶＤディスクのように、より改善された書込み及び再生技術が要求される高密度の光媒体が現在開発中である。
【０００３】
また、光駆動機の駆動速度が急増している。例えば、ＣＤ−Ｒ用の光駆動機の場合、初期には１倍速光駆動機が市場に発表され、最近には５２倍速（５２ｘ）の光駆動機が製造されている。その上、ＤＶＤ用光駆動機の場合に１２または１６倍速（１２ｘｏｒ１６ｘ）光駆動機が開発されている。
このように、光駆動機は多様な光媒体と互換されねばならず、高速で駆動されねばならない。
【発明の開示】
【発明が解決しようとする課題】
【０００４】
本発明が解決しようとする技術的課題は、高速で光媒体を駆動できる光駆動機における高密度の光媒体に適した書込みパルスタイプが提供できるレーザーダイオードパワー制御装置及び方法を提供するところにある。
【０００５】
本発明が解決しようとする他の技術的課題は、微細調整用のパルスを使用して光媒体に適した書込みパルスタイプを提供するレーザーダイオードパワー制御装置を提供するところにある。
【課題を解決するための手段】
【０００６】
前記技術的課題を達成するために本発明は、複数のチャンネルそれぞれの書込みパルスを生成するパルス生成部と、光媒体タイプと前記光媒体に対する前記光駆動機の駆動速度とによって前記各チャンネル別の書込みパルスへの微細調整パルスの適用如何を決定して前記パルス生成部を制御する制御部と、前記パルス生成部から出力される書込みパルスによって各チャンネル別のパワーレベルを伝送する伝送部と、を含む光駆動機のレーザーダイオードパワー制御装置を提供する。
【０００７】
前記パルス生成部は、前記制御部から出力されるパルスの発生条件情報に基づいて前記複数のチャンネルそれぞれの書込みパルスを生成するための条件情報を設定する書込みパルス設定器と、前記複数のチャンネルそれぞれに独立的に含まれて前記書込みパルス設定器から提供される前記条件情報に基づいて該当するチャンネルの書込みパルスを生成する複数のパルス生成器と、前記書込みパルス設定器から提供される前記条件情報に基づいて微細調整パルスを生成する微細調整パルス生成器と、前記複数のチャンネルそれぞれに具備されて前記制御部から出力されるパルスの発生条件情報によって該当チャンネルの書込みパルスと微細調整パルスとを選択的に伝送する複数の伝送器と、を含むことが望ましい。
【０００８】
前記パルス生成部は、前記制御部から出力されるパルスの発生条件情報に基づいて前記複数のチャンネルそれぞれに対する書込みパルスを生成するための条件情報を設定する書込みパルス設定器と、前記複数のチャンネルそれぞれに具備されて、前記書込みパルス設定器から提供される条件情報によって該当するチャンネルの書込みパルスを生成する複数のパルス生成器と、前記書込みパルス設定器から提供される条件情報によって微細調整パルスを生成する微細調整パルス生成器と、前記複数のチャンネルそれぞれに具備されて前記該当チャンネルの書込みパルスと微細調整パルスとを組合わせ、前記組合わせられた結果を伝送する複数のゲートと、前記複数のチャンネルそれぞれに具備されて前記制御部から出力されるパルスの発生条件情報に基づいて該当チャンネルのパルス生成器から出力される書込みパルスと該当チャンネルのゲートから出力される信号とを選択的に伝送する複数の伝送器と、を含むことが望ましい。
【発明の効果】
【０００９】
本発明によれば、光媒体のタイプによってマルチパルス列またはマルチパルスチェーンのような微細調整パルスを選択的に適用してレーザーダイオードのパワーを制御することによって、光媒体を高速で駆動する光駆動機、及び高密度光媒体に対してさらに最適化された書込みパルスを生成できて高密度光媒体に対して信頼性及び互換性を確保した高速光駆動機が提供できる。
【００１０】
特に、ノンマルチタイプまたは平らなチャンネルの書込みパルスに微細調整用パルスを適用して列が累積されることを防止し、再書込みが保障される光媒体に対するＤＯＷ（Ｄｉｒｅｃｔ Ｏｖｅｒ Ｗｒｉｔｅ）テスト時のジッタが改善できる。
【００１１】
また、本発明によるレーザーダイオードパワー制御装置は、ＬＤドライバが１つで構成されてピックアップ上に内蔵可能な構造を有する光駆動機に適用する場合に、ＦＤを通じてフィードバックされる現在パワーレベルでノイズ及び干渉を減少させることができる。
【発明を実施するための最良の形態】
【００１２】
以下、図面を参照して本発明による実施例を詳細に説明する。
図１は、光駆動機で本発明によるレーザーダイオードパワー制御装置の機能ブロック図である。図１を参照すれば、レーザーダイオードパワー制御装置は、サンプル＆ホールド部１０１、アナログ／デジタル変換部（Ａｎａｌｏｇ−ｔｏ−Ｄｉｇｉｔａｌ Ｃｏｎｖｅｒｔｅｒ：ＡＤＣ）１０２、デマルチプレクサ１０３、制御部１０４、レジスタユニット１１０、レベル制御ユニット１２０、マルチプレクサ１３０、パルス発生部１４０、ＮＲＺＩ（Ｎｏｎ−Ｒｅｔｕｒｎ ｔｏ Ｚｅｒｏ Ｉｎｖｅｒｔ）デコーダ１５０、デジタル／アナログ変換部（Ｄｉｇｉｔａｌ−ｔｏ−Ａｎａｌｏｇ Ｃｏｎｖｅｒｔｅｒ：ＤＡＣ）１６０で構成される。
【００１３】
サンプル＆ホールド部１０１は入力される信号で指定された区間の信号をサンプリングしてサンプリングされた信号をホールドする。前記入力される信号はフォトダイオード（Ｐｈｏｔｏ Ｄｉｏｄｅ：ＰＤ、図示せず）により受信された信号を電流／電圧増幅器（Ｉ−ｔｏ−Ｖ ＡｍｐｌｉｆｉｅｒまたはＩ／Ｖ Ａｍｐ、図示せず）を通じて電圧値に増幅して得た信号である。前記ＰＤにより受信された信号は光媒体（図示せず）から反射された光に対応する電気信号であるか、フロントフォトダイオード（ＦＰＤ）を通じて受信した光に対応する電気信号である。前記媒体は光媒体、及び／または書込み可能な及び／または再生可能な媒体である。
【００１４】
ＡＤＣ１０２はサンプル＆ホールド部１０１から出力される信号をデジタル信号に変換させてデジタル信号を出力する。前記デジタル信号はデマルチプレクサ１０３に伝送される。
【００１５】
デマルチプレクサ１０３はＡＤＣ１０２から出力されるデジタル信号を制御部１０４からの制御信号によってデマルチプレクスして出力する。前記制御信号はレーザーダイオードのパワーを制御するために使われるチャンネルによって決定される。例えば、図１は６チャンネルで運用される場合である。したがって、制御信号は６チャンネルが区分できるフォーマットを有する。前記６チャンネルはファーストチャンネル、ピークチャンネル、ラストチャンネル、イレーズチャンネル、クーリングチャンネル、ボトムチャンネルを含む。もしレーザーダイオードのパワーを制御するために使われるチャンネルがＮチャンネルである場合に前記制御信号はＮチャンネルが区分できるフォーマットを有する。このようなデマルチプレクサ１０３はフィードバックされる現在のパワーを伝送する伝送部の役割を果たす。
【００１６】
制御部１０４は光駆動機にロードされた光媒体のタイプと光媒体に対する光駆動機の駆動速度情報とに基づいて各チャンネル別の現在パワーが基準パワーと同一に設定するために本発明によるレーザーダイオードパワー制御装置を制御する。
【００１７】
例えば、制御部１０４は入力される制御信号に基づいて光媒体が書換え可能な媒体であるか、書込み可能な媒体であるか、高密度の光媒体であるか、使われる光駆動機の駆動速度はどの程度であるかなどを判断し、判断された結果によって本発明によるレーザーダイオードパワー制御装置を制御できる。前記制御信号は図示していない光駆動機のメイン制御部（図示せず）から提供されうる。
【００１８】
制御部１０４は光媒体のタイプと光駆動機の駆動速度とによって前記サンプル＆ホールド部１０１によりサンプルされる信号の前記指定区間を判断し、制御する。また、制御部１０４はレーザーダイオードのパワーを制御するために使われるチャンネルを考慮して前記指定区間を制御できる。
制御部１０４はデマルチプレクサ１０３で各チャンネル別の現在パワーがレジスタユニット１１０内の対応するレジスタに伝送されるようにデマルチプレクサ１０３を制御する。
【００１９】
また、制御部１０４はレジスタユニット１１０で使われる各チャンネル別の基準パワーを提供する。この基準パワーは光駆動機にロードされた光媒体のタイプ及び光駆動機の駆動速度によって異なるように設定されうる。前記各チャンネル別の基準パワーは事前に設定された値が利用できる。
【００２０】
制御部１０４はレベル制御ユニット１２０に各チャンネル別パワーレベル制御条件を提供する。前記パワーレベル制御条件は光媒体のタイプ及び光駆動機の駆動速度によって決定される。例えば、前記パワーレベル制御条件は基準パワーと現在パワーとの差によってレベルが調整されるか、リンギングを防止するために基準パワーと現在パワー間の差が差等的に適用されるように設定されうる。
【００２１】
そして、光媒体タイプ及び光駆動機の速度情報に基づいてどのパワーレベルを微細調整するか、如何なるパルスタイプを使用するかなどが決定されれば、制御部１０４は決定されたパルス発生条件情報をパルス発生部１４０に提供する。
微細調整パルスが適用可能なパワーレベルは表１のように定義できる。
【００２２】
【表１】
2005078793.tif 000003
【００２３】
選択可能な微細調整パルスタイプは表２と共に定義できる。
【００２４】
【表２】
2005078793.tif 000004
【００２５】
表２でオンスタート微細調整パルスはチャンネルクロック内でロジックハイで始まる微細調整パルス列を有するパルスタイプを意味する。オフスタート微細調整パルスはチャンネルクロック内でロジックローで始まる微細調整パルス列を有するパルスタイプを意味する。
【００２６】
制御部１０４は光媒体タイプ及び光駆動機の駆動速度に対する情報をＮＲＺＩデコーダ１５０に提供する。
【００２７】
レジスタユニット１１０は図２に示されたようにデマルチプレクサ１０３から出力されるチャンネル別にフィードバックされた現在パワーレベルを保存する第１ないし第６レジスタ１１１＿１〜１１１＿６と、各該当チャンネルの基準パワーレベルを保存する第１ないし第６基準レジスタ１１２＿１〜１１２＿６とで構成される。レジスタユニット１１０に構成されるレジスタの数はレーザーダイオードのパワーを制御するために使われるチャンネルの数によって決定される。例えば、使われるチャンネルがＮ個であれば、レジスタユニット１１０はＮ個のレジスタとＮ個の基準パワー用レジスタとを含む。
【００２８】
第１ないし第６基準レジスタ１１２＿１〜１１２＿６に保存される各チャンネル別基準パワーレベルは制御部１０４から提供される。第１ないし第６レジスタ１１１＿１〜１１１＿６は該当チャンネル別の現在パワーレベルをレベル制御ユニット１２０内の対応するレベル制御部に提供する。
【００２９】
レベル制御ユニット１２０は図３に示されたように第１ないし第６レベル制御部１２０＿１〜１２０＿６を含む。図２の第１レジスタ１１１＿１は保存された現在パワーレベルを図３の第１レベル制御部１２０＿１に提供する。図２の第２レジスタ１１１＿２は保存された現在パワーレベルを図３の第２レベル制御部１２０＿２に提供する。図２の第３レジスタ１１１＿３は保存された現在パワーレベルを図３の第３レベル制御部１２０＿３に提供する。図２の第４レジスタ１１１＿４は保存された現在パワーレベルを図３の第４レベル制御部１２０＿４に提供する。図２の第５レジスタ１１１＿５は保存された現在パワーレベルを図３の第５レベル制御部１２０＿５に提供する。図２の第６レジスタ１１１＿６は保存された現在パワーレベルを図３の第６レベル制御部１２０＿６に提供する。
【００３０】
図２と図３とを参照すれば、第１基準レジスタ１１２＿１は保存されている基準パワーレベルを第１レベル制御部１２０＿１に提供する。第２基準レジスタ１１２＿２は保存されている基準パワーレベルを第２レベル制御部１２０＿２に提供する。第３基準レジスタ１１２＿３は保存されている基準パワーレベルを第３レベル制御部１２０＿３に提供する。第４基準レジスタ１１２＿４は保存されている基準パワーレベルを第４レベル制御部１２０＿４に提供する。第５基準レジスタ１１２＿５は保存されている基準パワーレベルを第５レベル制御部１２０＿５に提供する。第６基準レジスタ１１２＿６は保存されている基準パワーレベルを第６レベル制御部１２０＿６に提供する。
【００３１】
第１ないし第６レベル制御部１２０＿１〜１２０＿６はレジスタユニット１１０内の対応するレジスタから出力される現在パワーレベルと基準パワーレベル間の差を検出し、検出された差と制御部１０４から提供されたパワーレベル制御条件に基づいて該当するチャンネルのレベルを制御して出力する。出力された信号はマルチプレクサ１３０に伝送される。
【００３２】
マルチプレクサ１３０はパルス発生部１４０から提供される制御信号によって第１ないし第６レベル制御部１２０＿１〜１２０＿６から出力される信号を選択的に伝送する。マルチプレクサ１３０はパルス発生部１４０から出力される書込みパルスによって各チャンネル別パワーレベルを伝送する伝送部の役割を果たす。
【００３３】
パルス発生部１４０は制御部１０４から提供されるパルス発生条件情報、チャンネルクロック信号、及びＮＲＺＩデコーダ１５０から出力される信号に基づいて各チャンネル別書込みパルスを生成し、生成された書込みパルスをマルチプレクサ１３０の動作を制御するための信号として提供する。
【００３４】
図４は、図１に示されたパルス発生部１４０の詳細ブロック図である。図４を参照すれば、パルス発生部１４０はチャンネルクロック発生器４０１、サブクロック発生器４０２、書込みパルス設定器４０３、パルス生成ユニット４１０で構成される。
【００３５】
システムクロック信号または分周されたチャンネルクロック信号が入力されれば、チャンネルクロック発生器４０１は制御部１０４から提供される光駆動機にローディングされている光媒体タイプに対する情報に基づいて、光媒体タイプと光媒体に対する光駆動機の書込み速度とに適した元のチャンネルクロックを発生させる。このようにチャンネルクロック発生器４０１は入力されるシステムクロック信号を設定された数に逓倍できる。
【００３６】
サブクロック発生器４０２は各チャンネル別に正確な同期を制御するためにチャンネルクロック発生器４０１から出力される元のチャンネルクロック信号を逓倍または位相遅延させたクロック信号を発生させる。
【００３７】
書込みパルス設定器４０３はＮＲＺＩデコーダ１５０から提供されるデコーディングされたＮＲＺＩデータ、チャンネルクロック発生器４０１から提供されるクロック信号及び制御部１０４から提供されるパルス発生条件情報に基づいて光媒体タイプに適した書込みパルスを生成するための条件設定及び初期化動作を実行する。
【００３８】
書込みパルス設定器４０３は少なくともファーストパルス、ピークパルス、ラストパルス、イレーズパルス、クーリングパルス、及びボトムパルスの開始時間及び終了時間を設定し、微細調整パルスのタイプ及び周期を設定する。微細調整パルスの周期は微細調整パルスの周期を１Ｔｗにするか、２Ｔｗにするかを設定することを意味する。書込みパルス設定器４０３で設定された書込みパルス生成条件はパルス生成ユニット４１０内のパルス生成器４１０＿１〜４１０＿７に提供される。
【００３９】
パルス生成ユニット４１０は少なくとも複数のパルス生成器、複数のゲート、及び複数のマルチプレクサで構成されてチャンネル別に書込みパルスを生成する。
複数のパルス生成器は各チャンネル別に書込みパルスを構成するのに必要なパルスを独立的に発生する。このために複数のパルス生成器は各チャンネル別に独立的に構成される。例えば、前記複数のパルス生成器はファーストパルス生成器４１０＿１、ピークパルス生成器４１０＿２、ラストパルス生成器４１０＿３、イレーズパルス生成器４１０＿４、クーリングパルス生成器４１０＿５、ボトムパルス生成器４１０＿６で構成される。特に、前記複数のパルス生成器は微細調整パルス生成器４１０＿７をさらに含みうる。
各パルス生成器は書込みパルス設定器４０３から提供される書込みパルス生成条件情報、チャンネルクロック発生器４０１とサブクロック発生器４０２とから提供されるクロック信号に基づいて該当するパルスを生成する。
【００４０】
複数のゲートは対応するパルス生成器と微細調整パルス生成器とから生成される微細調整パルスを組み合わせて出力する。これによってゲートから出力される書込みパルスは図５（Ｄ）または図５（Ｇ）のように該当チャンネルの一部区間を除外した区間に前記微細調整パルスが適用されるフォーマットを有しうる。前記図５（Ｄ）または図５（Ｇ）で一部区間はオーバードライブ区間である。すなわち、複数のゲートはパワーチャンネルの一部区間にのみ微細調整パルスを適用する場合を考慮するためのものである。複数のゲートは第１ないし第６ゲート４１１＿１〜４１１＿６で構成される。
【００４１】
複数のマルチプレクサは対応するパルス生成器と対応するゲートから出力される信号とを選択的に出力する。このために複数のマルチプレクサは第１ないし第６マルチプレクサ４１２＿１〜４１２＿６で構成される。第１ないし第６マルチプレクサ４１２＿１〜４１２＿６の動作を制御する信号は制御部１０４から提供される。第１ないし第６マルチプレクサ４１２＿１〜４１２＿６から出力される信号はマルチプレクサ１３０に提供される。
【００４２】
ＮＲＺＩデコーダ１５０は入力されるＮＲＺＩデータをデコーディングし、デコーディングされたＮＲＺＩデータをパルス発生部１４０に提供する。すなわち、ＮＲＺＩデコーダ１５０は制御部１０４から提供される光媒体タイプ及び光駆動機の駆動速度情報に基づいてＮＲＺＩデータに対する検出条件を決定し、決定された検出条件に基づいて入力されるＮＲＺＩデータの書込みマーク情報、前記書込みマークと前スペースサイズ組合せに対する情報、及び書込みマークと後スペースサイズ組合せに対する情報を検出し、検出された情報をパルス発生部１４０に提供する。
【００４３】
ＤＡＣ１６０はマルチプレクサ１３０から出力される信号をアナログ信号に変換させ、前記アナログ信号をレーザーダイオード（図示せず）を駆動させるための書込みパワーとして提供する。これによってレーザーダイオード（図示せず）は図５（Ａ）ないし図５（Ｇ）に示されたように書込みパルスを発生することができる。
【００４４】
図５（Ａ）ないし図５（Ｇ）は、本発明による前述のレーザーダイオードパワー制御装置によりレーザーダイオード（図示せず）から出力されうる書込みパルスタイプの例である。
すなわち、図５（Ａ）のように入力されるＮＲＺＩデータに対して図５（Ｂ）はイレーズパワーレベルにオンスタート微細調整パルスを適用した場合の例であり、図５（Ｃ）は、ピークパワーレベルにオンスタート微細調整パルスを適用した場合の例であり、図５（Ｄ）は、オーバードライブ区間を有するピークパワーレベルにオフスタート微細調整パルスを適用した場合の例であり、バイアスパワーレベルにオンースタート微細調整パルスを適用した場合の例であり、図５（Ｅ）は、イレーズパワーレベルにオフスタート微細調整パルスを適用した場合の例であり、図５（Ｆ）は、バイアスパワーレベルにオンースタート微細調整パルスを適用した場合の例であり、図５（Ｇ）は、ピークパワーレベルの開始区間と終了区間とがオーバードライブ区間であるピークパワーレベルでオーバードライブ区間を除外したピークパワーレベルにオフスタート微細調整パルスを適用した場合の例である。
【００４５】
図５（Ａ）ないし図５（Ｇ）に示されたように、イレーズパワーレベル、ピークパワーレベル、バイアスパワーレベル、複数のパワーレベル、オーバードライブ区間を除外したピークパワーレベルに微細調整パルスが適用されるように、制御部１０４は書込みパルス設定器４０３及び第１ないし第６マルチプレクサ４１２＿１〜４１２＿６の動作を制御する。
【００４６】
図６（Ａ）ないし図６（Ｃ）は、本発明によって図４の微細調整パルス生成器４１０＿７で発生されうる微細調整パルスタイプの例である。図６（Ａ）は、イレーズまたはピーク基準レベルをセンターレベルとして使用する時に、オンスタート微細調整パルス、オフスタートパルス、及び２Ｔｗ周期を有する微細調整パルスが使われた例である。
【００４７】
図６（Ｂ）は、イレーズまたはピーク基準レベルをボトムレベルとして使用する時に、オンスタート微細調整パルス、オフスタート微細調整パルス、及び２Ｔｗ周期を有する微細調整パルスが使われた例である。
図６（Ｃ）は、イレーズまたはピーク基準レベルをトップレベルとして使用する時に、オンスタート微細調整パルス、オフスタート微細調整パルス、２Ｔｗ周期を有するオンスタート微細調整パルス、及び２Ｔｗ周期を有するオフスタート微細調整パルスが使われた例である。
【００４８】
微細調整パルス生成器４１０＿７は書込みパルス設定器４０３から提供される書込みパルスの生成条件情報に基づいて図６（Ａ）ないし図６（Ｃ）のようなタイプの微細調整パルスを選択的に生成する。
【００４９】
本発明は前述した実施例に限定されず、本発明の思想内で当業者による変形が可能であることは言うまでもない。したがって、本発明の権利請求範囲は詳細なる説明の範囲内で定められるものでなく、後述する特許請求の範囲で定められるものである。
【産業上の利用可能性】
【００５０】
本発明の光駆動機におけるレーザーダイオードパワー制御装置及び方法は、高速で高密度の光媒体を駆動できる光駆動機に具備されているレーザーダイオードの書込みパワーを制御する技術に適用可能である。
【図面の簡単な説明】
【００５１】
【図１】光駆動機における本発明によるレーザーダイオードパワー制御装置の機能ブロック図である。
【図２】図１に示されたレジスタユニットの詳細ブロック図である。
【図３】図１に示されたレベル制御ユニットの詳細ブロック図である。
【図４】図１に示されたパルス発生部の詳細ブロック図である。
【図５】（Ａ）ないし（Ｇ）は、本発明によるレーザーダイオードパワー制御装置によりレーザーダイオードで発生されうる書込みパルスタイプの例示図である。
【図６】（Ａ）ないし（Ｃ）は、本発明によって図４の微細調整パルス生成器で発生されうる微細調整パルスタイプの例示図である。
【符号の説明】
【００５２】
１０１    サンプル＆ホールド部
１０２    ＡＤＣ
１０３    デマルチプレクサ
１０４    制御部
１１０    レジスタユニット
１２０    レベル制御ユニット
１３０    マルチプレクサ
１４０    パルス発生部
１５０    ＮＲＺＩデコーダ
１６０    ＤＡＣ
【図１】
2005078793.tif 000005
【図２】
2005078793.tif 000006
【図３】
2005078793.tif 000007
【図４】
2005078793.tif 000008
【図５】
2005078793.tif 000009
【図６】
2005078793.tif 000010